(57)【要約】【課題】  粒状の菓子や薬を収納する容器に関して、収納物を取り出すべく容器の蓋部を開けて逆さまにすると、収納物が不本意にたくさん取り出されたり零れたりすると言う問題があり、そこで容器の口を狭くすると上記問題は解決するものの、今度は菓子や薬を容器内に入れる際に容器の口の狭さがネックとなって、たいへん入れにくく成ると言う問題を生じていた。【解決手段】  上記課題は、容器本体と蓋部との間に、菓子や薬の取出口を有する中蓋を開閉自在に設けた収納容器とすることにより解決される。菓子や薬はこの中蓋の取出口から取り出すようにして使用し、また菓子や薬を容器内に入れる際にはこの中蓋を上げるようにして使用する。従って菓子や薬が必要以上に多く取り出されたり零したりすることが防げると共に、中蓋を上げることで菓子や薬が入れやすくなると言う効果を奏する。【選択図】  図４
2006188281.tif 000002
【特許請求の範囲】
【請求項１】
主として粒状の菓子や薬を入れる容器本体に蓋部を開閉自在に設けて成る収納容器に於いて、前記容器本体と前記蓋部との間に、菓子や薬の取出口を有する中蓋を開閉自在に設けて成ることを特徴とする、収納容器。
【請求項２】
蓋部が中蓋を閉塞し得るように設けられている請求項１に記載の収納容器。
【請求項３】
中蓋が周辺部から取出口に掛けてテーパー状に形成されている請求項１に記載の収納容器。
【請求項４】
蓋部が中蓋に対する密着性が良好な材料から成ると共に、取出口の付近でこの取出口を閉塞し得るように設けられている、請求項３に記載の収納容器。
【請求項５】
蓋部を常に開く方向に付勢するためのバネが取り付けられており、閉じた時の蓋部を掛止し且つ手動操作によりこの掛止状態を解除することが出来ると共に、蓋部が開く瞬間に中蓋を押さえることが出来るようなスイッチが取り付けられている、請求項４に記載の収納容器。
【請求項６】
容器本体と中蓋との間に、２つの掛止突起を備えた掛止部材が、常には容器本体側に付勢されて閉じられた蓋部を一側の掛止突起で掛止するように、且つ蓋部から外された場合には他側の掛止突起で中蓋を掛止するように設けられている、請求項５に記載の収納容器。
【請求項７】
蓋部を常に開く方向に付勢するためのバネが取り付けられていると共に、閉じた時の蓋部を掛止し且つ手動操作によりこの掛止状態を解除することが出来るようなスイッチが取り付けられている、請求項１に記載の収納容器。
【請求項８】
中蓋を常に閉じる方向に付勢するためのバネが取り付けられている請求項１に記載の収納容器。
【請求項９】
容器本体に内容器が挿着されている請求項１に記載の収納容器。
【請求項１０】
容器本体または蓋部にクリップなどの留め具が設けられている請求項１に記載の収納容器。
【発明の詳細な説明】
【技術分野】
【０００１】  この発明は主として粒状の菓子や薬を入れる収納容器に係り、さらに詳しくは一度に入れやすく且つ少しずつ取り出すことが可能な収納容器に関する。
【背景技術】
【０００２】  従来より粒状の菓子や薬を入れる容器本体に蓋部を開閉自在に設けて成るものがあった。蓋部を閉めると容器内部が密閉されるものが一般的である。このものは蓋部を開けて逆さまにし、容器内に収納した菓子や薬を手の平などの上に落とすようにして使用する。またこのものはペンダントとして首から下げたりベルトに付けたり、あるいはバッグに入れたりして携帯することが出来る。なお上記薬の場合には粒状のものとしてカプセルなども含まれる。上記ペンダント様の容器に関しては実登３０６５９３５号「救急薬収納ペンダント」が参考になる。
【特許文献１】実登３０６５９３５号公報
【発明の開示】
【発明が解決しようとする課題】
【０００３】  しかしながら収納物を取り出すべく容器の蓋部を開けて逆さまにすると、収納物が不本意にたくさん取り出されたり、零れたりすると言う問題があった。そこで容器の口を狭くすると上記問題は解決するものの、今度は菓子や薬を容器内に入れる際に容器の口の狭さがネックとなって、たいへん入れにくいと言う問題を生じてしまうのである。【０００４】  そこでこの発明は、上述したような二律背反的な問題を解消して、一度に入れやすく且つ少しずつ取り出すことが出来るような、全く新しい収納容器を提供することを課題とする。
【課題を解決するための手段】
【０００５】  上記の課題は、主として粒状の菓子や薬を入れる容器本体に蓋部を開閉自在に設けて成る収納容器に於いて、前記容器本体と前記蓋部との間に、菓子や薬の取出口を有する中蓋を開閉自在に設けて成ることを特徴とする、収納容器とすることにより達成される。【０００６】  前記中蓋は文字通り蓋であって容器本体に被せられるものであるが、菓子や薬の取出口が設けられている。この取出口は容器の口よりも小さいものとなるのが必然であり、例えば菓子や薬１個分が取り出せる位の寸法のものとする。従って菓子や薬はこの中蓋の取出口から取り出されるため、不本意に取り出し過ぎたり零れたりすることが防げる。また菓子や薬を容器内に入れる際には、この中蓋を上げるようにすることで容器の口の広さが得られる。なおこの中蓋の上にさらに前記蓋部が被せられて容器本体が密閉される。【０００７】  次に蓋部が中蓋を閉塞し得るように設けられているものとすることが出来る。蓋部と中蓋とが閉じられている状態では蓋部が中蓋を閉塞することで、菓子や薬が中蓋の外すなわち蓋部と中蓋との間に漏れ出さなくなる。【０００８】  次に中蓋が周辺部から取出口に掛けてテーパー状に形成されているものとすることが出来る。これは主としてデザイン面からの要請であるが、機能面に付いては取出口が蓋部方向へ突出する場合と、逆に容器本体方向へ突出する場合とがあり、前者では振り出しやすく、後者では一旦取出口から中蓋上に取り出した菓子や薬がテーパー状部分によって受けやすくなると言う利点がある。【０００９】  更に蓋部が中蓋に対する密着性が良好な材料から成ると共に、取出口の付近でこの取出口を閉塞し得るように設けられているものとすることが出来る。密着性が良好な材料とは例えば不燃性の合成ゴムなどのことである。これによって前記テーパー状に形成された部位の取出口の付近が塞がれるため、蓋部による中蓋に対する密閉がより確実なものとなる。【００１０】  また更に、蓋部を常に開く方向に付勢するためのバネが取り付けられており、閉じた時の蓋部を掛止し且つ手動操作によりこの掛止状態を解除することが出来ると共に、蓋部が開く瞬間に中蓋を押さえることが出来るようなスイッチが取り付けられているものとしてもよい。スイッチを手動で操作して蓋部の掛止状態を解除すると、蓋部はバネの作用で開くのであるが、蓋部と中蓋とが密着性が良いと中蓋が蓋部と共に開いてしまうことが起こる。確かに菓子や薬を容器内に入れる際にはこれでもよい。しかしながら毎回中蓋が上がってしまうため、上述したように菓子や薬を少しずつ取り出すためには、これを一々下げて使わなくてはならないと言う面倒を生ずる。そこで蓋部の掛止状態が解除される瞬間のみ中蓋を押さえるようにして、中蓋が蓋部に付いて行くことを阻止するのである。【００１１】  また更に容器本体と中蓋との間に、２つの掛止突起を備えた掛止部材が、常には容器本体側に付勢されて閉じられた蓋部を一側の掛止突起で掛止するように、且つ蓋部から外された場合には他側の掛止突起で中蓋を掛止するように設けられているものとしてもよい。この掛止部材は常には蓋部を一側の掛止突起で掛止するようになっているため、蓋部を閉じると開かないようにするが、この掛止突���が外されると蓋部を開放し、逆に他側の掛止突起が中蓋を掛止する。従って蓋部がバネの力で開放されるが、この時に中蓋は蓋部に付いて行くことがない。【００１２】  次に蓋部を常に開く方向に付勢するためのバネが取り付けられていると共に、閉じた時の蓋部を掛止し且つ手動操作によりこの掛止状態を解除することが出来るようなスイッチが取り付けられているものとすることが出来る。前記スイッチを手動で操作して蓋部の掛止状態を解除すると、蓋部はバネの作用によって自動的に開く。従ってスイッチを例えばプッシュボタンにしておけば、ワンタッチで蓋部を開くことが出来るようになる。【００１３】  次に中蓋を常に閉じる方向に付勢するためのバネが取り付けられているものとすることが出来る。菓子や薬を少しずつ取り出すためのパーツである中蓋が常に容器本体に被せられた状態にしておき、上述した中蓋の役目を果たさせるのである。なお菓子や薬を容器内に詰める際には中蓋を手動で開けるようにする。また上述したように蓋部が中蓋に対する密着性が良好な材料から成ると共に、投入口の付近でこの投入口を閉塞し得るように設けられているものに付いて、中蓋を常に閉じる方向に付勢するためのバネを取り付けた構成とすることにより、蓋部を開けた時に中蓋が蓋部に付いて行くことが阻止される。【００１４】  次に容器本体に内容器が挿着されているものとすることが出来る。容器本体と内容器とを別部品とすることで、内容器をより衛生的に保つことが出来るようになる。【００１５】  次に容器本体または蓋部にクリップなどの留め具が設けられているものとすることが出来る。留め具がクリップであればこのクリップを用いることで、菓子や薬の収納容器をズボンのベルトや鞄の中の仕切りなどに掛止しておくことが出来る。またこの留め具を携帯電話のストラップ止めなどとして利用出来るようにしてもよいであろう。
【発明の効果】
【００１６】  この発明の収納容器によれば、菓子や薬はこの中蓋の取出口から取り出すようにして使用し、また菓子や薬を容器内に入れる際にはこの中蓋を上げるようにして使用する。従って、菓子や薬が必要以上に多く取り出されたり零したりすることが防げると共に、中蓋を上げることで菓子や薬が入れやすくなると言う効果を奏する。
【発明を実施するための最良の形態】
【００１７】  以下この発明の実施の形態を図面を参照しながら説明するが、この発明はこれ等の実施形態にのみ限定されるものではない。【００１８】  第１実施形熊
図１乃至図４はこの発明の第１実施形態を表わす。合成樹脂製の容器本体１の内部には薬を収納するための合成樹脂製の内容器２がセットされている。容器本体１の一側壁にはこれをバッグなどに止めるためのクリップ１１が設けられている。このクリップ１１の上方にはネックレスやストラップなどを通すための紐通し１２が開口されており、さらにその上方に後述する蓋部であるキャップ３及び中蓋４を回動自在に止めるための回動軸５が取り付けられている。中蓋４は図２で表わすように上方に膨らむように形成されており、その中央部に取出口４０が開口され、下端部は前記内容器２及びその外側の容器本体１の円形の開口部１０に掛かる鍔部４０とされ、この鍔部４０の下側に設けられた嵌合部４２が開口部１０の内側に隙間を作ることなく嵌まるように設けられている。またキャップ３にはその内部中央部分にゴム栓３１が中蓋４の取出口４０を塞ぎ得るように固定されている。なお図中符号４３は中蓋４を前記回動軸５に回動自在に取り付けるための軸受けである。【００１９】  さて前記中蓋４を内容器２の開口部に被せて前記キャップ３を閉じると、容器本体１にキャップ３を掛けることが出来る。この際に中蓋４の嵌合部４２は容器本体１の開口部１０に幾分きつく嵌まって止まる。キャップ３の下縁部３０は容器本体１の開口部１０に被さり、またキャップ３のゴム栓３１は中蓋４の取出口４０を塞ぐ。【００２０】  次にキャップ３を開けると容器本体１には中蓋４が被された状態で現われる。そこで容器本体１を傾けると、内容物である薬が中蓋４の小さい取出口４０から少量ずつ取り出されるため、不本意に取り出し過ぎたり零したりすることが防げる（図３）。【００２１】  次に薬を容器内に入れる際には、この中蓋４を上げるようにすることで容器本体１の開口部１０の広さが得られ、薬を一粒一粒ではなくまとめて要領良く流し込むことが出来る（図４）。この後は中蓋４を被せて、更にこの上から前記キャップを被せるようにして容器本体１を密閉する。なお薬はより清潔に取り扱うべく設けた内容器２の中に入れられるが、内容器２は必須なものではない。【００２２】  第２実施形態
図５及び図６はこの発明の第２実施形態を表わす。基本的には上述の第１実施形態の構成に倣うものであるが、容器の形状を楕円とし、キャップの形状を内容物となるキャンディーやガムなどの菓子にマッチするように動物の頭部を模したものとし、中蓋４４は下方に膨らむように形成されて、後述する鍔部４５の下側の外周部分で容器本体６の開口部分に密着すると共に、中央部分に取出口４６が開口されており、さらに次のようなスイッチとしての構成を付加して成るものである。【００２３】  すなわち容器本体６の前側（図の左）に内壁６１を形成して、外壁６０との間に掛止部材７の挿着部を設けて掛止部材７を挿着する。この弾力性を有する掛止部材７の途中には、指で押すことを可能にすべくボタン７０が設けられており、このボタン７０は前記の外壁６０から前方へ突出するように為されている。またこの掛止部材７の頂部には、前方へ向けて突出する掛止突起７１と、後方へ向けて突出する掛止突起７２とが設けられている。この内の掛止突起７１に関して、キャップ（蓋部）３２の下縁部の前側には内側へ向けて掛止突起３３が突設されており、この掛止突起３３に前記掛止突起７１が掛合可能とされている。また中蓋４４の上側の周縁部に設けられた鍔部４５の前側には前記掛止突起７２が掛合し得るようになっている。またキャップ３２および中蓋４４を回動自在に止めるための回動軸５にはコイルバネ５０が取り付けられており、このコイルバネ５０の一端部がキャップ３２の下縁部分に掛合されており、キャップ３２が常に開く方向にキャップ３２を付勢している。【００２４】  なお前記中蓋４４は図５で表わすように下方に膨らむように形成されており、キャップ３２にはその内部中央部分にゴム栓３４が中蓋４４の取出口４６を塞ぎ得るように固定されている。【００２５】  さて前記キャップ３２をコイルバネ５０のバネ力に抗して閉じると、キャップ３２の前記掛止突起３３が掛止部材７の掛止突起７１と掛合してキャップ３２が閉じられる。この際、キャップ３２のゴム栓３４が中蓋４４のテーパー状の部分に密着して取出口４６をしっかりと閉じる。次に前記掛止部材７のボタン７０を指先で押すことによって掛止部材７が後方へしなるために、掛止突起７１が掛止突起３３から外れて、前記コイルバネ５０のバネ力によってキャップ３２が跳ね上げられる。この時キャップ３２のゴム栓３４と中蓋４４のテーパー状の部分との密着性が良好であると、中蓋４４共々跳ね上げようとする作用が見られるが、実は先ほど後方へしなった掛止部材７の掛止突起７２の方が今度は前記中蓋４４の鍔部４５の前側に掛合して中蓋４４を押さえてしまうために、中蓋４４はそのまま残り、キャップ３２のみ跳ね上げられることになる。従って上述の第１実施形態と同様に、容器本体６を横に倒して行くことで内容物である菓子を中蓋４４の小さい取出口４６から少量ずつ取り出すことが出来るのである。これによって菓子を不本意に取り出し過ぎたり零したりすることが防げる。【００２６】  次にボタン７０を押す力を緩めると掛止部材７のしなりが解消され、掛止突起７２が中蓋４４の鍔部４５の前側から外れて、中蓋４４は自由になるのである。従って菓子を容器内に入れたいとする場合には、���の中蓋４４を上げるようにすることで容器本体６の開口部の広さが得られ、菓子を一個一個ではなくまとめて要領良く流し込むことが出来るのである。この後は中蓋４４を被せ、更にこの上から前記キャップ３２を被せるようにすると（キャップ３２で中蓋４４をを押すようにしたも良い）、キャップ３２はその掛止突起３３が前記掛止部材７の掛止突起７１に掛かって止められ、容器本体６が密閉されることになる。【００２７】  第３実施形態
図７及び図８はこの発明の第３実施形態を表わす。この実施形態は上述の第２実施形態の掛止部材７を掛止部材８に替え、コイルバネ５０をコイルバネ５１に替えて成るものである。すなわち弾力性を有する掛止部材８の途中には指で押すことを可能にすべくボタン８０が設けられておりこのボタン８０は外壁６０から前方へ突出するように為されている。またこの掛止部材８の頂部には前方へ向けて突出する掛止突起８１が設けられている。この掛止突起８１は、キャップ３２の下縁部前側に内側へ向けて突設されている掛止突起３３に掛合可能である。また前記回動軸５にはコイルバネ５１が取り付けられており、このコイルバネ５１の一端部がキャップ３２の下縁部に掛合されてキャップ３２を常に開く方向に付勢しており、またコイルバネ５１の他端部が中蓋４４の上縁部に掛合されて中蓋４４を常に閉じる方向に付勢している。なおゴム栓３５は軽量化のために図示するような中空構造としている。【００２８】  前記キャップ（蓋部）３２を閉じた状態から、前記掛止部材８のボタン８０を指先で押すことによって、掛止部材８が後方へしなり、掛止突起８１が掛止突起３３から外れて、前記コイルバネ５１の作用によってキャップ３２が跳ね上げられる。この時、第２実施形態で説明したようにキャップ３２に中蓋４４が追随しそうになったとしても、前記コイルバネ５１の他端部が中蓋４４の上縁部に掛合されているため、中蓋４４は閉じる方向に付勢されてその状態を保つことが出来るのである。【００２９】  このような構成であるため、菓子を容器内に入れたいとする場合には、手動で中蓋４４をコイルバネ５１のバネ力に抗して持ち上げてやるようにすればよい。なおボタン８０から手を離した状態では掛止部材８は初期状態にあっていつでもキャップ３２側の掛止突起３３に掛合し得る。これは上述の第２実施形態の掛止部材７に付いても同様である。
【産業上の利用可能性】
【００３０】  なおこの発明は上述した実施形態に限定されないから、容器本体や蓋部の材質は適宜検討すればよくまたその形状も任意設計事項である。中蓋に付いても同様であり、上方や下方に膨らむ形状ではなく、フラット形状などとすることも可能である。またその取出口の数は、内容物が少量ずつ取り出せる限りは１に限定されない。ゴム栓を用いるものでは、粘着性を有するゴム材料を利用してもよい。また第２実施形態で説明した中蓋４４がキャップ３２に追随する傾向を無くするには、栓にゴムのような密着性のある素材を使用しないか、取出口４６に被さるような構造のものにするなどすれば良い。また中蓋の全体を蓋部で覆って閉じる構成も実現出来る。またバネを用いるものではコイルバネ５０，５１以外のバネも使用可能である。またスイッチを用いるものでは、押しボタン式のスイッチの他にスライド式のスイッチなども採用可能である。
【図面の簡単な説明】
【００３１】
【図１】  第１実施形態の斜視図である。
【図２】  同実施形態の中蓋４の斜視図である。
【図３】  同実施形態の使用状態説明図である。
【図４】  同実施形態の使用状態説明図である。
【図５】  第２実施形態の断面図である。
【図６】  同実施形態の部分平面図である。
【図７】  第３実施形態の部分断面図である。
【図８】  同実施形態の部分平面図である。
【符号の説明】
【００３２】１    容器本体
１０  開口部
１１  クリップ
１２  紐通し
２    内容器
３    キャップ（蓋部）
３０  下縁部
３１  ゴム栓
３２  キャップ（蓋部）
３３  掛止突起
３４  ゴム栓
３５  ゴム栓
４    中蓋
４０  鍔部
４１  取出口
４２  嵌合部
４３  軸受け
４４  中蓋
４５  鍔部
４６  取出口
５    回動軸
５０  コイルバネ
５１  コイルバネ
６    容器本体
６０  外壁
６１  内壁
７    掛止部材
７０  ボタン
７１  掛止突起
７２  掛止突起
８    掛止部材
８０  ボタン
８１  掛止突起
【図１】
2006188281.tif 000003
【図２】
2006188281.tif 000004
【図３】
2006188281.tif 000005
【図４】
2006188281.tif 000006
【図５】
2006188281.tif 000007
【図６】
2006188281.tif 000008
【図７】
2006188281.tif 000009
【図８】
2006188281.tif 000010